【事件の表示】
　平成　９年特許願第　　５５９２号「データ復号化方法及びその装置」拒絶査定に対する審判事件〔平成　９年１０月　３日出願公開、特開平　９−２６１０７８、請求項の数（３１）〕について、次のとおり審決する。
【結　論】
　原査定を取り消す。
　本願の発明は、特許すべきものとする。
【理　由】
1．本願発明
　本願は、平成５年６月２２日（パリ条約による優先権主張１９９２年７月２３日、韓国）に出願した特願平５−１５０２７７号の一部を平成９年１月１６日に新たな出願としたものであって、その請求項１ないし３１に係る発明は、補正された明細書および図面の記載からみて、その特許請求の範囲の請求項１ないし３１に記載された次のとおりのものである（以下「本願発明」という。）。
「【請求項１】入力される可変長符号化データを、所定大きさのブロック単位で逆直交変換される量子化係数に復号化する復号化方法において、
　可変長符号化データとスキャニング方向を示すスキャニングパターンデータとを入力する工程と、
　入力された可変長符号化データを可変長復号化して、ランとレベルとの組で表現されるシンボルデータに変換する工程と、
　前記可変長復号化されたシンボルデータをランレベル復号化することにより、量子化係数に変換する工程と、
　前記スキャンパターンデータに応じて複数のスキャニング方向のジグザグパターンを含む複数のスキャニング方向のスキャニングパターンから選択された、特定のスキャニング方向のスキャニングパターンで、前記量子化係数をスキャニングする工程とを備えることを特徴とする復号化方法。
【請求項２】前記量子化係数は前記スキャニングによって２次元の逆直交変換される量子化係数に変換されることを特徴とする請求項１記載の復号化方法。
【請求項３】前記スキャニング工程の後に、前記量子化係数を逆直交変換する工程をさらに備えることを特徴とする請求項１記載の復号化方法。
【請求項４】前記複数のスキャニングパターンは１つ置きのスキャニングパターンを含むことを特徴とする請求項１記載の復号化方法。
【請求項５】入力される可変長符号化データを、所定大きさのブロック単位で逆直交変換される量子化係数に復号化する復号化装置において、
　可変長符号化データとスキャニング方向を示すスキャニングパターンデータとを入力する手段と、
　入力された可変長符号化データを可変長復号化して、ランとレベルとの組で表現されるシンボルデータに変換する可変長復号化回路と、
　前記可変長復号化されたシンボルデータをランレベル復号化することにより量子化係数に変換し、前記スキャンパターンデータに応じて複数のスキャニング方向のジグザグパターンを含む複数のスキャニング方向のスキャニングパターンから選択された、特定のスキャニング方向のスキャニングパターンで、前記量子化係数をスキャニングするランレベル復号化回路とを備えることを特徴とする復号化装置。
【請求項６】前記量子化係数は前記スキャニングによって２次元の逆直交変換される量子化係数に変換されることを特徴とする請求項５記載の復号化装置。
【請求項７】前記係数がスキャニングされた後に、前記量子化係数を逆直交変換する逆直交変換器をさらに備えることを特徴とする請求項５記載の復号化装置。
【請求項８】複数のスキャニングパターンを記憶する記憶部と、前記複数のスキャニングパターンから選ばれたスキャニングパターンに対応して、スキャニング順を出力する手段とを更に備えることを特徴とする請求項５記載の復号化装置。
【請求項９】前記複数のスキャニングパターンは１つ置きのスキャニングパターンを含むことを特徴とする請求項５記載の復号化装置。
【請求項１０】入力される可変長符号化データを、所定大きさのブロック単位で逆直交変換される量子化係数に復号化する復号化装置において、
　可変長符号化データとスキャニング方向を示すスキャニングパターンデータとを入力する手段と、
　入力された可変長符号化データを可変長復号化して、ランとレベルとの組で表現されるシンボルデータに変換する手段と、
　前記可変長復号化されたシンボルデータをランレベル復号化することにより、量子化係数に変換する手段と、
　前記スキャンパターンデータに応じて複数のスキャニング方向のジグザグパターンを含む複数のスキャニング方向のスキャニングパターンから選択された、特定のスキャニング方向のスキャニングパターンで、前記量子化係数をスキャニングする手段とを備えることを特徴とする復号化装置。
【請求項１１】前記量子化係数をスキャニングする手段は、前記量子化係数を２次元の逆直交変換される量子化係数に変換することを特徴とする請求項１０記載の復号化装置。
【請求項１２】前記量子化係数がスキャニングされた後に、前記量子化係
数を逆直交変換する手段を更に備えることを特徴とする請求項１０記載の復号化装置。
【請求項１３】複数のスキャニングパターンを記憶する記憶手段と、前記複数のスキャニングパターンから選ばれたスキャニングパターンに対応して、スキャニング順を出力する手段とを更に備えることを特徴とする請求項１０記載の復号化装置。
【請求項１４】前記複数のスキャニングパターンは１つ置きスキャニング
パターンを含むことを特徴とする請求項１０記載の復号化装置。
【請求項１５】入力される可変長符号化データを、所定大きさのブロック単位で逆直交変換される量子化係数に復号化する復号化方法において、
　可変長符号化データとスキャニング方向を示すスキャニングパターンデータとを入力する工程と、
　入力された可変長符号化データを可変長復号化することによって、ラン値とレベル値とを有するシンボルデータに変換する工程と、
　前記シンボルデータのラン値とレベル値とに対応して決定される量子化係数を、前記スキャンパターンデータに応じて複数のスキャニング方向のジグザグパターンを含む複数のスキャニング方向のスキャニングパターンから選ばれた、特定のスキャニング方向のスキャニングパターンでスキャニングする工程とを備えることを特徴とする復号化方法。
【請求項１６】前記スキャニング工程はランレベル復号化回路により実現されることを特徴とする請求項１５記載の復号化方法。
【請求項１７】前記スキャニングされた量子化係数は２次元の逆直交変換される量子化係数であることを特徴とする請求項１５記載の復号化方法。
【請求項１８】前記スキャニング工程の後に、前記量子化係数を逆直交変換する工程を更に備えることを特徴とする請求項１５記載の復号化方法。
【請求項１９】前記複数のスキャニングパターンは１つ置きのスキャニングパターンを含むことを特徴とする請求項１５記載の復号化方法。
【請求項２０】入力される可変長符号化データを、所定大きさのブロック単位で逆直交変換される量子化係数に復号化する復号化方法において、
　可変長符号化データとスキャニング方向を示すスキャニングパターンデータとを入力する工程と、
　入力された可変長符号化データを可変長復号化することにより、各々がラン値とレベル値とを有するシンボルデータに変換する工程と、
　各値が前記シンボルデータのラン値とレベル値とに対応して決定される量子化係数を、前記スキャンパターンデータに応じて複数のスキャニング方向のジグザグパターンを含む複数のスキャニング方向のスキャニングパターンから選ばれた、特定のスキャニング方向のスキャニングパターンでスキャニングする工程とを備えることを特徴とする復号化方法。
【請求項２１】入力される可変長符号化データを、所定大きさのブロック単位で逆直交変換される量子化係数に復号化する復号化方法において、
　可変長符号化データとスキャニング方向を示すスキャニングパターンデータとを入力する工程と、
　入力された可変長符号化データを可変長復号化することにより、各々がラン値とレベル値とを有するシンボルデータに変換する工程と、
　前記ラン値とレベル値とに対応して量子化係数を決定する工程と、
　前記スキャンパターンデータに応じて複数のスキャニング方向のジグザグパターンを含む複数のスキャニング方向のスキャニングパターンから選ばれた、特定のスキャニング方向のスキャニングパターンで、前記量子化係数をスキャニングする工程とを備えることを特徴とする復号化方法。
【請求項２２】入力される可変長符号化データを、所定大きさのブロック単位で逆直交変換される量子化係数に復号化する復号化装置において、
　可変長符号化データとスキャニング方向を示すスキャニングパターンデータとを入力する手段と、
　入力された可変長符号化データを可変長復号化することによって、ラン値とレベル値とを有するシンボルデータに変換する可変長復号化器と、
　前記シンボルデータのラン値とレベル値とに対応して決定される量子化係数を、前記スキャンパターンデータに応じて複数のスキャニング方向のジグザグパターンを含む複数のスキャニング方向のスキャニングパターンから選ばれた、特定のスキャニング方向のスキャニングパターンでスキャニングするスキャニング器とを備えることを特徴とする復号化装置。
【請求項２３】 前記スキャニング器は前記量子化係数を２次元の逆直交変換される量子化係数に変換することを特徴とする請求項２２記載の復号化装置。
【請求項２４】前記係数がスキャニングされた後に、前記量子化係数を逆直交変換する逆直交変換器を更に備えることを特徴とする請求項２２記載の復号化装置。
【請求項２５】複数のスキャニングパターンを記憶する記憶部と、前記複数のスキャニングパターンから選ばれたスキャニングパターンに対応してスキャニング順を出力する手段とを更に備えることを特徴とする請求項２２記載の復号
化装置。
【請求項２６】前記複数のスキャニングパターンは１つ置きスキャニングパターンを含むことを特徴とする請求項２２記載の復号化装置。
【請求項２７】入力される可変長符号化データを、所定大きさのブロック単位で逆直交変換される量子化係数に復号化する復号化装置において、
　可変長符号化データとスキャニング方向を示すスキャニングパターンデータとを入力する手段と、
　入力された可変長符号化データを可変長復号化することによって、ラン値とレベル値とを有するシンボルデータに変換する手段と、
　前記シンボルデータのラン値とレベル値とに対応して決定される量子化係数を、前記スキャンパターンデータに応じて複数のスキャニング方向のジグザグパターンを含む複数のスキャニング方向のスキャニングパターンから選ばれた、特定のスキャニング方向のスキャニングパターンでスキャニングする手段とを備えることを特徴とする復号化装置。
【請求項２８】前記スキャニングされた量子化係数は２次元の逆直交変換される量子化係数であることを特徴とする請求項２７記載の復号化装置。
【請求項２９】前記量子化係数がスキャニングされた後に、前記量子化係数を逆直交変換する手段を更に備えることを特徴とする請求項２７記載の復号化装置。
【請求項３０】複数のスキャニングパターンを記憶する手段と、前記複数のスキャニングパターンから選ばれたスキャニングパターンに対応してスキャニング順を出力する手段とを更に備えることを特徴とする請求項２７記載の復号化装置。
【請求項３１】前記複数のスキャニングパターンは１つ置きスキャニング
パターンを含むことを特徴とする請求項２７記載の復号化装置。」
　
２．先願明細書に記載された発明
　これに対して、原査定の拒絶の理由に引用された、本願の出願日前の他の出願であって、その出願後に出願公開された、特願平３−１３４４７号（特開平４−２４７７７０号）の願書に最初に添付された明細書または図面（以下「先願明細書」という。）には、
「図８に示すように、上述した走査パターン作成手段１１４に代えて、走査パターン格納手段１４１と選択手段１４２とを備えて、画像データ圧縮装置を構成してもよい。
　この走査パターン格納手段１４１には、例えば、図２１に示したジグザグスキャンパターンと、図９(a) に示すように、ＤＣＴ係数Ｄの第１行から順次に行方向に走査する行ラスタスキャンパターンと、図９(b) に示すように、第１列から順次に列方向に走査する列ラスタスキャンパターンとを代表的な走査パターンとして格納し、それぞれに識別番号を付けておけばよい。…この場合は、符号化部２３１は、上述した符号化情報として、選択したパターンに付けられた識別番号を付加して送出すればよく、採用した走査パターンによる各成分の走査順序そのものを符号化データに付加する必要はない。
　また、画像の一般的な性質として、低い空間周波数成分に有効係数が集中するので、通常は、上述した３つの走査パターンの中から画像に適した走査パターンを選択することができる。従って、上述したように、予め用意しておいた走査パターンから画像に適したものを選択することにより、分布情報に基づいて走査パターンを作成した場合と同様に、高い圧縮率を得ることができる。」（段落４３ないし４５）
「復号部３１１は、復号手段１６１に相当するものであり、符号化情報解析部３１２を備えて構成されている。この符号化情報解析部３１２は、入力された符号化データに付加された符号化情報を解析し、この符号化情報で示された走査パターンを求め、逆量子化部３２１に通知する構成となっている。また、上述した復号部３１１は、従来と同様に、入力された符号化データをインデックスとランとの組合せに変換し、逆量子化部３２１に送出する構成となっている。
　逆量子化部３２１は、行列復元手段１６２に相当するものであり、乗算器３２２と量子化閾値保持部３２３と逆量子化制御部３２４とから構成されている。この逆量子化制御部３２４は、復号部３１１から通知された走査パターンを保持しておき、この走査パターンに基づいて、入力されるインデックスで示される有効係数に対応する行列における位置を求め、量子化閾値保持部３２３に対して該当する量子化閾値の出力を指示するとともに、上述した行列における位置に対応するアドレスをバッファ３４１に送出する構成となっている。また、乗算器３２２によって、復号部３１１から入力されるインデックスと量子化閾値保持部３２３から出力される対応する量子化閾値との乗算が行われ、この乗算結果が、バッファ３４１の上述したアドレスに格納される構成となっている。
　このように、符号化情報で示された走査パターンに基づいて、逆量子化制御部３２４が量子化閾値保持部３２３とバッファ３４１とを制御することにより、量子化係数ＤQUの各成分を逆量子化して、８行８列のＤＣＴ係数Ｄを復元することが可能となる。従って、逆ＤＣＴ変換部３３１は、このようにして得られたＤＣＴ係数Ｄを従来通りに逆ＤＣＴ変換することにより、画像データを復元することができる。
　また、図１４に示すように、走査パターン格納部３２５とセレクタ３２６とを備えて逆量子化部３２１を構成し、符号化情報で示された識別番号に応じて、セレクタ３２６が、走査パターン格納部３２５から該当する走査パターンを選択して逆量子化制御部３２４に入力する構成としてもよい。
　この場合は、走査パターン格納部３２５には、上述した画像データ圧縮装置側で用意されていた走査パターンを識別番号に対応して格納しておけばよい。これにより、図８に示した画像データ圧縮装置によって圧縮された符号化データに基づいて、多値画像を表す画像データを復元することができる。」（段落５８ないし６１）
　
３．本願発明と先願明細書に記載された発明の対比・判断
　上記先願明細書には、本願発明を特定する構成要件の一部である、スキャンパターンデータに応じて複数のスキャニング方向のジグザグパターンを含む複数のスキャニング方向のスキャニングパターンから選択された、特定のスキャニング方向のスキャニングパターンで、ランレベル復号化することにより得られた量子化係数をスキャニングするという構成が記載も示唆もされていない。
　この点について、拒絶査定および前置報告においては、複数の文献を引用して、スキャニングパターンには複数あり、さらにジグザグパターンには、上記先願明細書に記載されたパターン以外にも複数の方向のものがあることが周知事項であると述べられている。
　しかしながら、上記各文献は、ランレベル符号・復号化において、複数のスキャニング方向のジグザグパターンを含む複数のスキャニング方向のスキャニングパターンから適切なスキャニングパターンを適応的に選択することを開示するものでなく、また、復号化に際し、選択された特定のスキャニング方向のスキャニングパターンで、量子化係数をスキャニングすることを開示するものでもない。したがって、上記各文献の記載から、直ちに、ランレベル復号化において、複数のスキャニング方向のジグザグパターンを含む複数のスキャニング方向のスキャニングパターンから、スキャニングパターンを適応的に選択し、選択されたスキャニングパターンで、量子化係数をスキャニングするすることが周知事項であるとすることはできない。
　また、上記先願明細書には、「画像の一般的な性質として、低い空間周波数成分に有効係数が集中するので、通常は、上述した３つの走査パターンの中から画像に適した走査パターンを選択することができる。」との記載があり、すなわち、通常は、ジグザグスキャンパターン、行ラスタスキャンパターン、列ラスタスキャンパターンの３つの走査パターンの中から画像に適した走査パターンを選択することができるというものである。
　そうすると、上記先願明細書に記載された発明において、複数のスキャニングパターンに複数のスキャニング方向のジグザグパターンを含ませ、スキャニングパターンデータに応じて複数のスキャニング方向のジグザグパターンを含む複数のスキャニング方向のスキャニングパターンから選択された、特定のスキャニング方向のスキャニングパターンで、量子化係数をスキャニングすることが、課題解決のための具体化手段における微差（周知技術、慣用技術の付加、転換等）であるとは認められない。
　したがって、本願発明は上記先願明細書に記載された発明と同一であるとすることはできない。
　
４．本願発明と引用刊行物記載の発明の対比・判断
　原査定の拒絶の理由に引用された各刊行物には、本願発明を特定する構成要件の一部である、スキャンパターンデータに応じて複数のスキャニング方向のジグザグパターンを含む複数のスキャニング方向のスキャニングパターンから選択された、特定のスキャニング方向のスキャニングパターンで、ランレベル復号化することにより得られた量子化係数をスキャニングするという構成が記載も示唆もされていない。
　そして、本願発明は、上記構成を有することにより、明細書に記載された「各ブロックデータを複数のスキャニング方向のジグザグパターンを含む複数のスキャニング方向を選ぶスキャン方式と、ランレベル符号化と、可変長符号化との組合わせで符号化し、その結果、符号の長さが最小となるスキャニング方向を示すデータと可変長符号化されたデータとを、符号化時に使われたスキャン方式と同一のスキャン方式と、対応するランレベル復号化と、対応する可変長復号化との組合わせで、該当ブロックデータを復号化するので、データの圧縮伸長の効果を更に向上させることができる」という作用効果を奏するものであり、この点は前記各刊行物に記載のものからは期待することができない格別のものと認められる。
　したがって、本願発明は、原査定の拒絶の理由に引用された各刊行物に記載された発明に基づいて当業者が容易に発明をすることができたとすることはできない。
　
５．むすび
　以上のとおりであるから、本願発明は、上記先願発明、引用刊行物および原査定の理由によっては、拒絶することができない。
　また、他に本願を拒絶すべき理由を発見しない。
　よって、結論のとおり審決する。